【手続補正書】
【提出日】平成19年3月22日(2007.3.22)
【手続補正１】
【補正対象書類名】明細書
【補正対象項目名】特許請求の範囲
【補正方法】変更
【補正の内容】
【特許請求の範囲】
【請求項１】  記録ヘッドを往復走査して往復記録を行う記録方法であって、
前記記録ヘッドを往路方向に走査させながら第１のテストパターンを記録媒体に記録して前記第１のテストパターンをスキャナで読み取る第１のテスト工程と、
前記記録ヘッドを復路方向に走査させながら前記第１のテストパターンを形成するのと同じデータに基づいて第２のテストパターンを記録媒体に記録して前記第２のテストパターンをスキャナで読み取る第２のテスト工程と、
前記第１のテスト工程において読み取られたデータに基づいて、往路記録用の補正データを生成する第１の補正データ生成工程と、
前記第２のテスト工程において読み取られたデータに基づいて、復路記録用の補正データを生成する第２の補正データ生成工程と、
前記記録ヘッドが往路記録を行う際には、前記往路記録用の補正データを用いて入力画像データを補正し、前記記録ヘッドが復路記録を行う際には、前記復路記録用の補正データを用いて入力画像データを補正する補正工程と、
前記補正工程において補正された画像データを用いて前記記録ヘッドにより往復記録を行う記録工程とを有することを特徴とする記録方法。
【請求項２】  記録ヘッドを往復走査して往復記録を行う記録装置であって、
記録媒体に記録された画像を読み取る読取手段と、
画像データを入力する入力手段と、
前記記録ヘッドを往路方向に走査させながら第１のテストパターンを記録媒体に記録して前記第１のテストパターンを前記読取手段によって読み取る第１のテスト手段と、
前記記録ヘッドを復路方向に走査させながら前記第１のテストパターンを形成するのと同じデータに基づいて第２のテストパターンを前記記録媒体に記録して前記第２のテストパターンを前記読取手段によって読み取る第２のテスト手段と、
前記読取手段によって読み取られた前記第１のテストパターンから得られるデータに基づいて、往路記録用の補正データを生成する第１の補正データ生成手段と、
前記読取手段によって読み取られた前記第２のテストパターンから得られるデータに基づいて、復路路記録用の補正データを生成する第２の補正データ生成手段と、
前記記録ヘッドが往路記録を行う際には、前記往路記録用の補正データを用いて前記入力手段によって入力される画像データを補正し、前記記録ヘッドが復路記録を行う際には、前記復路記録用の補正データを用いて前記入力手段によって入力される画像データを補正する補正手段と、
前記補正手段によって補正された画像データを用いて前記記録ヘッドにより往復記録を行う記録手段とを有することを特徴とする記録装置。
【請求項３】  前記記録ヘッドは、インクを吐出して記録を行うインクジェット記録ヘッドであることを特徴とする請求項２に記載の記録装置。
【請求項４】  前記インクジェット記録ヘッドは、熱エネルギーを利用してインクを吐出するために、インクに与える熱エネルギーを発生するための電気熱変換体を備えていることを特徴とする請求項３に記載の記録装置。
【請求項５】  前記入力手段は、前記画像データを前記記録ヘッドによる往路記録に用いられるデータと前記記録ヘッドによる復路記録に用いられるデータとに分割して一時的に記憶するメモリを有していることを特徴とする請求項２に記載の記録装置。
【請求項６】
前記往路記録用の補正データを格納する第１の記憶手段と、
前記復路記録用の補正データを格納する第２の記憶手段とをさらに有し、
前記補正手段は、前記画像データが往路記録に用いられるデータである場合には前記第１の記憶手段を選択し、前記画像データが復路記録に用いられるデータである場合には前記第２の記憶手段を選択する選択手段を含むことを特徴とする請求項５に記載の記録装置。
【請求項７】  前記メモリは少なくとも前記記録ヘッド１走査分の記録に用いられる画像データを格納できることを特徴とする請求項５に記載の記録装置。
【請求項８】  前記第１及び第２のテストパターンを形成するデータは、均一な濃度パターンを形成するために生成されたパターンデータであることを特徴とする請求項２に記載の記録装置。
【請求項９】  前記補正手段は、前記パターンデータと前記第１及び第２のテストパターンを読み取って得られるデータとの比較から、前記往路記録用と復路記録用の補正データを演算して生成する演算手段を含むことを特徴とする請求項８に記載の記録装置。
【請求項１０】  前記読取手段は光学スキャナを含むことを特徴とする請求項２に記載の記録装置。
【請求項１１】  前記記録ヘッドによってマルチパス記録を行う際には、前記補正手段による補正を抑止する抑止手段をさらに有することを特徴とする請求項２に記載の記録装置。
【手続補正２】
【補正対象書類名】明細書
【補正対象項目名】００２８
【補正方法】変更
【補正の内容】
【００２８】
即ち、記録ヘッドを往復走査して往復記録を行う記録方法であって、前記記録ヘッドを往路方向に走査させながら第１のテストパターンを記録媒体に記録して前記第１のテストパターンをスキャナで読み取る第１のテスト工程と、前記記録ヘッドを復路方向に走査させながら前記第１のテストパターンを形成するのと同じデータに基づいて第２のテストパターンを記録媒体に記録して前記第２のテストパターンをスキャナで読み取る第２のテスト工程と、前記第１のテスト工程において読み取られたデータに基づいて、往路記録用の補正データを生成する第１の補正データ生成工程と、前記第２のテスト工程において読み取られたデータに基づいて、復路記録用の補正データを生成する第２の補正データ生成工程と、前記記録ヘッドが往路記録を行う際には、前記往路記録用の補正データを用いて入力画像データを補正し、前記記録ヘッドが復路記録を行う際には、前記復路記録用の補正データを用いて入力画像データを補正する補正工程と、前記補正工程において補正された画像データを用いて前記記録ヘッドにより往復記録を行う記録工程とを有することを特徴とする。
【手続補正３】
【補正対象書類名】明細書
【補正対象項目名】００２９
【補正方法】変更
【補正の内容】
【００２９】
また他の発明によれば、記録ヘッドを往復走査して往復記録を行う記録装置であって、記録媒体に記録された画像を読み取る読取手段と、画像データを入力する入力手段と、前記記録ヘッドを往路方向に走査させながら第１のテストパターンを記録媒体に記録して前記第１のテストパターンを前記読取手段によって読み取る第１のテスト手段と、前記記録ヘッドを復路方向に走査させながら前記第１のテストパターンを形成するのと同じデータに基づいて第２のテストパターンを前記記録媒体に記録して前記第２のテストパターンを前記読取手段によって読み取る第２のテスト手段と、前記読取手段によって読み取られた前記第１のテストパターンから得られるデータに基づいて、往路記録用の補正データを生成する第１の補正データ生成手段と、前記読取手段によって読み取られた前記第２のテストパターンから得られるデータに基づいて、復路路記録用の補正データを生成する第２の補正データ生成手段と、前記記録ヘッドが往路記録を行う際には、前記往路記録用の補正データを用いて前記入力手段によって入力される画像データを補正し、前記記録ヘッドが復路記録を行う際には、前記復路記録用の補正データを用いて前記入力手段によって入力される画像データを補正する補正手段と、前記補正手段によって補正された画像データを用いて前記記録ヘッドにより往復記録を行う記録手段とを有することを特徴とする記録装置を備える。
【手続補正４】
【補正対象書類名】明細書
【補正対象項目名】００３１
【補正方法】変更
【補正の内容】
【００３１】
また、前記入力手段は、画像データを記録ヘッドによる往路記録に用いられるデータと記録ヘッドによる復路記録に用いられるデータとに分割して一時的に記憶するメモリを有し、さらには、前記往路記録用の補正データを格納する第１の記憶手段と、前記復路記録用の補正データを格納する第２の記憶手段とを有していることが望ましく、このときには、補正手段には、画像データが往路記録に用いられるデータである場合には第１の記憶手段を選択し、画像データが復路記録に用いられるデータである場合には第２の記憶手段を選択する選択手段を含むことが望ましい。さらに、そのメモリは少なくとも記録ヘッド１走査分の記録に用いられる画像データを格納できる容量を有していることが望ましい。
【手続補正５】
【補正対象書類名】明細書
【補正対象項目名】００３５
【補正方法】変更
【補正の内容】
【００３５】
以上の構成により本発明は、まず記録ヘッドを往路方向に走査させながら第１のテストパターンを記録媒体に記録して第１のテストパターンをスキャナで読み取り、その記録ヘッドを今度は復路方向に走査させながら第１のテストパターンを形成するのと同じデータに基づいて第２のテストパターンを記録媒体に記録して第２のテストパターンをスキャナで読み取り、これら読み取られたデータに基づいて、往路記録用及び復路記録用の補正データを生成し、記録ヘッドが往路記録を行う際には、往路記録用の補正データを用いて入力画像データを補正し、記録ヘッドが復路記録を行う際には、復路記録用の補正データを用いて入力画像データを補正し、その補正された画像データを用いて記録ヘッドにより往復記録を行うよう動作する。